(57)【要約】【課題】消費電力の増加と寿命の低下を防止できる光ピックアップ装置を提供する。【解決手段】光ピックアップ装置１はピックアップベース２と対物レンズ１１が取り付けられたアクチュエータ本体９とアクチュエータ本体９を移動自在にピックアップベース２に取り付けたアクチュエータ駆動部１０とアクチュエータ本体９のピックアップベース２に対する移動範囲を規制する規制部６と規制部６を移動させるモータ４とを備えている。規制部６がディスク形記録媒体の種類に対応して設けられかつモータ４により移動されることでいずれか一つがアクチュエータ本体９の移動範囲を規制する複数のディスク移動規制部２８ａ，２８ｂ，２８ｃを備えている。ディスク移動規制部２８ａ，２８ｂ，２８ｃがそれぞれアクチュエータ本体９の移動範囲を対応するディスク形記録媒体に応じた適切な移動範囲とする厚みに形成されている。【選択図】図２
2009238356.tif 000002
【特許請求の範囲】
【請求項１】
複数種類のディスク形記録媒体から情報を読み出し可能な光ピックアップ装置において、
前記ディスク形記録媒体の径方向に移動自在に設けられたピックアップベースと、
前記ディスク形記録媒体に間隔をあけて相対した対物レンズが取り付けられたアクチュエータ本体と、
前記アクチュエータ本体を前記ディスク形記録媒体の少なくとも径方向と厚み方向とに移動自在に前記ピックアップベースに取り付けたアクチュエータ駆動部と、
前記ディスク形記録媒体の種類毎に、前記アクチュエータ本体の前記厚み方向の前記ピックアップベースに対する移動範囲を異ならせて規制する規制部と、
前記情報を読み出すディスク形記録媒体の種類を判別する判別手段と、
前記判別されたディスク形記録媒体の種類に応じて前記移動範囲を規制すべく前記規制部を前記アクチュエータ本体に対して相対的に移動させる駆動手段と、
を備えたことを特徴とする光ピックアップ装置。
【請求項２】
前記規制部が、前記ディスク型記録媒体の種類に対応して設けられかつ各々が前記アクチュエータ本体の前記移動範囲を規制する複数の種別規制部を備え、
前記複数の種別規制部が、前記駆動手段による前記規制部の移動方向に沿って直列に並べられていることを特徴とする請求項１記載の光ピックアップ装置。
【請求項３】
前記規制部が、前記ディスク形記録媒体から情報を読み取るためのレーザ光が通される光学部品が取り付けられかつ当該情報を読み取る前記ディスク形記録媒体の種類に応じて前記駆動手段により移動される光学部品ホルダに設けられていることを特徴とする請求項２記載の光ピックアップ装置。
【請求項４】
前記規制部が、前記光学部品としてコリメータレンズが取り付けられた前記光学部品ホルダに設けられ、
前記駆動手段が、前記規制部を移動させて前記判別されたディスク形記録媒体の種類に応じた位置に前記コリメータレンズを位置付けるとともに、当該ディスク形記録媒体の種類に対応する前記種別規制部を前記アクチュエータ本体と接触可能な位置に位置付けることを特徴とする請求項３記載の光ピックアップ装置。
【発明の詳細な説明】
【技術分野】
【０００１】
本発明は、光ディスク再生装置などに使用される光ピックアップ装置に関する。
【背景技術】
【０００２】
光ディスク再生装置には、ＣＤ（Compact Disk）やＤＶＤ（Digital Versatile Disc）やＢＤ（Blu-ray Disc）などの複数の種類のディスク形記録媒体としての光ディスクに記録された情報を読み取るために、従来から種々の光ピックアップ装置(例えば、特許文献１参照)が用いられている。
【０００３】
前述した特許文献１などに示された光ピックアップ装置は、前述したＣＤなどの光ディスクの径方向に移動自在に設けられたピックアップベースと、光ディスクに間隔をあけて相対した対物レンズが取り付けられたアクチュエータ本体と、アクチュエータ本体を光ディスクの径方向と厚み方向との双方に移動自在にピックアップベースに取り付けたアクチュエータ駆動部と、前述したＣＤ、ＤＶＤ、ＢＤなどの複数種の光ディスクから情報を読み取るため光源からのレーザ光の収差を補正するために、当該レーザ光を通すコリメータレンズなどの光学部品を取り付けたレンズホルダを移動させる移動機構と、前記アクチュエータ本体の前記ピックアップベースに対する移動範囲を規制する規制部と、を備えている。
【０００４】
ピックアップベースには、光ディスクの周方向に互いに間隔をあけかつ互いの間に前記アクチュエータ本体を位置付けたマグネットが取り付けられている。アクチュエータ本体には、前記マグネットと間隔をあけて相対したプリントコイルが取り付けられている。アクチュエータ駆動部は、銅合金などの弾性力を備えるとともに高い導電性の材料で構成された線状弾性部材を複数備えている。
【０００５】
線状弾性部材は、一端部がアクチュエータ本体に取り付けられかつ他端部がピックアップベースに取り付けられている。線状弾性部材は、その長手方向が光ディスクの周方向に沿っている。線状弾性部材は、弾性変形自在であるので、ピックアップベースに対してアクチュエータ本体を変位自在に支持している。
【０００６】
さらに、線状弾性部材は、前述した一端部がプリントコイルと電気的に接続されて、ピックアップベース側の他端部が外部からフォーカス制御やトラッキング制御のための電流が供給される。
【０００７】
前述した構成の光ピックアップ装置は、プリントコイルに線状弾性部材を介して、フォーカス制御やトラッキング制御のための電流が供給されて、プリントコイルとマグネットとが互いに協働して、アクチュエータ本体即ち対物レンズを少なくとも光ディスクの厚み方向即ちフォーカス方向と光ディスクの径方向即ちトラッキング方向との双方に沿って移動させて、光ディスクの情報記録面の所望の位置にレーザ光を照射する。こうして、光ピックアップ装置は、当該光ディスクから情報を読み出す。
【０００８】
一般的に、前述したＣＤ、ＤＶＤ、ＢＤなどの光ディスクは、各々の情報記録側の表面から対物レンズまでの作動距離や、光ディスクの反り、振れに対する規格が異なることなどにより、図１に示した例のように、情報を読み取る際に必要とされる前記アクチュエータ本体の前記ピックアップベースに対するフォーカス方向の移動範囲Ｓａ１，Ｓａ２，Ｓａ３が互いに異なる。なお、図１中の符号Ｓａ１はＣＤから情報を読み取る際に必要とされるアクチュエータ本体の移動範囲を示し、符号Ｓａ２はＤＶＤから情報を読み取る際に必要とされるアクチュエータ本体の移動範囲を示し、符号Ｓａ３はＢＤから情報を読み取る際に必要とされるアクチュエータ本体の移動範囲を示している。このため、前述した特許文献１などに記載された従来の光ピックアップ装置では、全ての種類の光ディスクからの情報を読み取ることを可能とするために、規制部によるアクチュエータ本体の移動範囲Ｓａを、全ての種類の光ディスクに適切とされる移動範囲Ｓａ１，Ｓａ２，Ｓａ３を含んだ単一の範囲としている。
【特許文献１】特開２００５−１２２８２８号公報
【発明の開示】
【発明が解決しようとする課題】
【０００９】
前述した光ピックアップ装置では、規制部によるアクチュエータ本体のピックアップベースに対する移動範囲を、全ての種類の光ディスクに適切とされる移動範囲を含んだ単一の範囲としているので、例えば、ＣＤ、ＤＶＤ、ＢＤのうち最もアクチュエータ本体の必要とされる移動範囲が狭いＢＤから情報を読み取る際には、当該必要とされる移動範囲を超えて、アクチュエータ本体がピックアップベースに対して移動してしまうので、極端に反りや振れが大きな規格外のＢＤに対しても、アクチュエータ本体が追従して移動してしまい、当該極端に反りや振れが大きな規格外のＢＤから情報を読み取ろうとしてしまう。
【００１０】
このため、前述した従来の光ピックアップ装置では、線状弾性部材やプリントコイルに過大な電流が流れてしまい、アクチュエータ本体が過熱してしまう。このため、消費電力が増加するとともに、アクチュエータ本体の寿命が低下する傾向であった。
【００１１】
したがって、本発明の目的は、例えば、消費電力の増加と寿命の低下を防止できる光ピックアップ装置を提供することにある。
【課題を解決するための手段】
【００１２】
前記課題を解決し目的を達成するために、請求項１に記載の本発明は、複数種類のディスク形記録媒体から情報を読み出し可能な光ピックアップ装置において、前記ディスク形記録媒体の径方向に移動自在に設けられたピックアップベースと、前記ディスク形記録媒体に間隔をあけて相対した対物レンズが取り付けられたアクチュエータ本体と、前記アクチュエータ本体を前記ディスク形記録媒体の少なくとも径方向と厚み方向とに移動自在に前記ピックアップベースに取り付けたアクチュエータ駆動部と、前記ディスク形記録媒体の種類毎に、前記アクチュエータ本体の前記厚み方向の前記ピックアップベースに対する移動範囲を異ならせて規制する規制部と、前記情報を読み出すディスク形記録媒体の種類を判別する判別手段と、前記判別されたディスク形記録媒体の種類に応じて前記移動範囲を規制すべく前記規制部を前記アクチュエータ本体に対して相対的に移動させる駆動手段と、を備えたことを特徴としている。
【発明を実施するための最良の形態】
【００１３】
以下、本発明の一実施形態にかかる光ピックアップ装置を説明する。本発明の一実施形態にかかる光ピックアップ装置は、アクチュエータ本体のピックアップベースに対する移動範囲を規制する規制部に、各ディスク形記録媒体の種類に応じて適切な移動範囲にアクチュエータ本体の移動範囲を規制させている。こうすることで、各種類のディスク形記録媒体から情報を読み取る際に必要とされる適切な移動範囲を超えて、アクチュエータ本体が移動することを防止でき、アクチュエータ駆動部に過大な電流が流れることなどを防止できる。したがって、光ピックアップ装置の消費電力の増加と寿命の低下を防止することができる。
【００１４】
また、規制部の種別規制部が駆動手段による規制部の移動方向に沿って並べてられても良い。この場合、駆動手段によって規制部を移動することで、アクチュエータ本体の移動範囲を規制する種別規制部を切り換えることができる。したがって、アクチュエータ本体の移動範囲を容易に切り換えることができる。
【００１５】
さらに、規制部が、光学部品が取り付けられて、ディスク形記録媒体の種類に応じて、駆動手段に移動される光学部品ホルダに設けられても良い。この場合、規制部を移動させるために専用に部品を設ける必要がなくなるので、部品点数の削減を図ることができる。
【００１６】
また、規制部が光学部品ホルダに設けられ、駆動手段が、規制部を移動させて判別されたディスク形記録媒体の種類に応じた位置に光学部品としてのコリメータレンズを位置付けるとともに、当該ディスク形記録媒体の種類に対応する種別規制部をアクチュエータ本体と接触可能な位置に位置付けても良い。この場合、光学部品を適切な位置に位置付けると、適切な種別規制部がアクチュエータ本体の移動範囲を規制するので、部品点数が増加することを確実に防止できる。
【実施例】
【００１７】
本発明の一実施例にかかる光ピックアップ装置１を、図２ないし図７を参照して説明する。光ピックアップ装置１は、ディスク形記録媒体としてのＣＤ、ＤＶＤ、ＢＤに記録された情報を読み取る装置である。即ち、光ピックアップ装置１は、複数種類のディスク形記録媒体から情報を読み出し可能な装置である。光ピックアップ装置１は、前述したＣＤ、ＤＶＤ、ＢＤに記録された情報を読み取る情報処理装置としての光ディスク再生装置などに用いられ、前述したディスク形記録媒体に記録された情報を読み取るために、当該ディスク形記録媒体の反りや振れに対して、ディスク形記録媒体の情報記録面と後述する対物レンズ１１との距離を制御するフォーカス制御と、ディスク形記録媒体のトラックの偏心に対して対物レンズ１１を追従するように制御するトラッキング制御等を行う。さらに、光ピックアップ装置１は、前述したＣＤ、ＤＶＤ、ＢＤなどの情報を読み取るディスク形記録媒体の種類が変更されたり、当該ディスク形記録媒体が複数の情報記録面を有している場合に情報を読み取る情報記録面が変更される際に、後述するコリメータレンズ７の位置の変更を行う。
【００１８】
光ピックアップ装置１は、図２に示すように、ピックアップベース２と、アクチュエータ装置３と、駆動手段としてのモータ４と、光学部品ホルダとしてのレンズホルダ５と、規制部６と、制御手段としてのμＣＯＭ２１を備えている。
【００１９】
ピックアップベース２は、図示しないモータからの駆動力により軸芯回りに回転駆動するリードスクリューなどによって、当該リードスクリュー上をディスク形記録媒体の径方向に沿って移動可能に設けられている。
【００２０】
ピックアップベース２は、箱状に形成され、かつ光学部品としての光源、コリメータレンズ７、ビームスプリッタ、受光器などを収容している。前述した光源、コリメータレンズ７、ビームスプリッタ、受光器などの光学部品は、光源がディスク形記録媒体から情報を読み取るために最適な波長のレーザ光を発生し、このレーザ光をディスク形記録媒体まで導き、当該ディスク形記録媒体から反射されたレーザ光を受光器まで導いて、当該受光器で受光する。
【００２１】
アクチュエータ装置３は、図２に示すように、アクチュエータベース８と、アクチュエータ本体９と、アクチュエータ駆動部１０とを備えている。
【００２２】
アクチュエータベース８は、ピックアップベース２に固定されている。アクチュエータ本体９は、扁平な箱状に形成され、かつディスク形記録媒体と相対する対物レンズ１１が取り付けられている。
【００２３】
対物レンズ１１は、図示例では、二つ設けられている。図２中手前側の一方の対物レンズ１１は、ＣＤ及びＤＶＤ用のレーザ光を通すものであり、図２中奥側の他方の対物レンズ１１は、ＢＤ用のレーザ光を通すものである。これらの対物レンズ１１は、情報読み取り用の光源から発せられて光学部品を経由してきたレーザ光を通して、当該レーザ光をディスク形記録媒体に照射することおよびディスク形記録媒体から反射されたレーザ光を通して、当該レーザ光を光学部品へ出力するためのレンズである。
【００２４】
また、アクチュエータ本体９には、図２などに示すように、複数の突起としてのストッパ片１２が突出している。ストッパ片１２は、アクチュエータ本体９の各隅部にディスク形記録媒体の厚み方向に間隔をあけて二つ設けられて、合計八つ設けられている。ストッパ片１２は、棒状に形成され、かつアクチュエータ本体９の各隅部から前述したリードスクリューと平行に直線状に延在している。
【００２５】
アクチュエータ駆動部１０は、図２に示すように、複数の線状弾性部材１３と、一対のプリントコイル２２と、一対のマグネット２３と、を備えている。
【００２６】
線状弾性部材１３は、例えば銅合金などの弾性力を備えて導電性の良い材料で構成されて、直線状に延在した棒状(線状)に形成されている。線状弾性部材１３は、弾性変形自在である。線状弾性部材１３は、図示例では、四つ設けられ、それぞれ、ディスク形記録媒体の周方向と平行に配置されている。これら四つの線状弾性部材１３のうち一対の線状弾性部材１３と他の一対の線状弾性部材１３とは、互いにディスク形記録媒体の径方向に間隔をあけて配置され、かつ、各対の線状弾性部材１３は、互いにディスク形記録媒体の厚み方向に間隔をあけて配置されている。
【００２７】
また、各線状弾性部材１３は、その一端部がアクチュエータ本体９の前述したストッパ片１２に取り付けられ、他端部がアクチュエータベース８を介してピックアップベース２に取り付けられている。アクチュエータ本体９とアクチュエータベース８と線状弾性部材１３は、インサート成形により、これらのアクチュエータ本体９とアクチュエータベース８を成形する際に一体に成形される。すなわち、線状弾性部材１３は、一端部がアクチュエータ本体９のストッパ片１２に内包され、他端部がアクチュエータベース８に内包されるとともに、他の部分（即ち、中央部）は露出した状態で固定される。
【００２８】
さらに、線状弾性部材１３は、アクチュエータ本体９側の一端部が後述のプリントコイル２２と電気的に接続されているとともに、アクチュエータベース８側の他端部が外部からフォーカス制御やトラッキング制御のための電流が供給される。つまり、線状弾性部材１３は、弾性変形することで、アクチュエータ本体９をアクチュエータベース８即ちピックアップベース２に対して移動自在に支持しているとともに、プリントコイル２２に電流を供給する配線の機能も合わせて持つ。
【００２９】
プリントコイル２２は、ディスク形記録媒体の周方向に沿って互いの間にアクチュエータ本体９を挟みこむ位置に配置されているとともに、それぞれ、アクチュエータ本体９の側面に接着剤などにより取り付けられている。プリントコイル２２は、基板上にコイルの配線パターンが形成されたものであり、フォーカス制御用のコイルとトラッキング制御用のコイルが夫々形成されている。また、プリントコイル２２には、線状弾性部材１３とはんだ付けにて電気的に接続されている。
【００３０】
一対のマグネット２３は、アクチュエータ本体９をディスク形記録媒体の周方向に沿って互いの間に挟む位置に配置されて、アクチュエータベース８とピックアップベース２とに取り付けられている。また、マグネット２３は、それぞれ、プリントコイル２２と間隔をあけて相対している。
【００３１】
アクチュエータ駆動部１０は、線状弾性部材１３を介して前述した制御のための電流がプリントコイル２２に供給されることで、当該プリントコイル２２内を流れる電流及びマグネット２３の磁力により、アクチュエータ本体９をディスク形記録媒体の少なくとも径方向と厚み方向とに移動させる。
【００３２】
モータ４は、ピックアップベース２内に収容されて、当該ピックアップベース２に固定されている。モータ４は、その出力軸にねじ軸１４が取り付けられている。ねじ軸１４の長手方向は、ディスク形記録媒体の周方向と平行に配置されている。また、モータ４は、ディスク形記録媒体の径方向に沿ってアクチュエータ装置３と並ぶ位置に配置されている。更に、モータ４の出力軸に取り付けられたねじ軸１４の近傍には、当該ねじ軸１４と平行なガイドシャフト１５が設けられている。
【００３３】
レンズホルダ５は、枠状の枠状部１６と、棒状部１７とを一体に備えている。枠状部１６は、内側に光学部品としての前述したコリメータレンズ７を収容して、当該コリメータレンズ７が取り付けられている。棒状部１７は、枠状部１６の外周面から当該枠状部１６の外周方向に直線状に延在している。棒状部１７の枠状部１６から離れた側の先端部には、内側にガイドシャフト１５を通す通し孔１８と、前記ねじ軸１４に螺合するナット部１９とが設けられている。
【００３４】
レンズホルダ５は、モータ４の駆動力によりねじ軸１４が軸芯周りに回転されると、ナット部１９がねじ軸１４に螺合しているので、通し孔１８によりガイドシャフト１５に案内されながら、ねじ軸１４の長手方向に沿って移動する。そして、レンズホルダ５は、アクチュエータ装置３に対してコリメータレンズ７を接離させる。そして、モータ４は、情報を読み取るディスク形記録媒体の種類を変更する際や、当該ディスク形記録媒体の情報を読み取る情報記録面を切り換える際には、再生する情報記録面の位置などに応じてレンズホルダ５及びコリメータレンズ７をディスク形記録媒体の周方向に移動させて、対物レンズ１１のディスク形記録媒体の情報記録面上での球面収差が適切となる位置にコリメータレンズ７の位置を変更する。
【００３５】
規制部６は、レンズホルダ５に一体に設けられている。このため、規制部６は、モータ４によりアクチュエータ本体９に対して相対的に移動される。規制部６は、ホルダ連結部２４と、一対の棒状部２５と、を備えている。
【００３６】
ホルダ連結部２４は、レンズホルダ５の外面からディスク形記録媒体に向かって立設しかつディスク形記録媒体の径方向に間隔をあけた一対の支え柱２６と、当該支え柱２６のレンズホルダ５から離れた側の端部同士を連結した連結柱２７と、を一体に備えている。一対の支え柱２６は、レンズホルダ５の外面から互いに離れる方向に直線状に延在している。連結柱２７は、その長手方向がディスク形記録媒体の情報記録面と平行でかつ前述したリードスクリューと平行に配置されている。
【００３７】
棒状部２５は、直線状に延在した棒状に形成され、かつ、支え柱２６と連結柱２７とが互いに連なる箇所からアクチュエータベース８に向かって延在している。一対の棒状部２５は、長手方向が、互いに平行に配置されているとともに、前述したねじ軸１４の長手方向（即ち、レンズホルダ５の移動方向）と平行である。棒状部２５は、アクチュエータ本体９のレンズホルダ５寄りのストッパ片１２間に配置される。
【００３８】
棒状部２５は、それぞれ、図３乃至図５に示すように、複数の種別規制部２８を備えている。これら複数の種別規制部２８は、棒状部２５の長手方向即ちモータ４によるレンズホルダ５の移動方向に沿って直列に並べられている。図示例では、各棒状部２５に種別規制部２８が五つ設けられている。これらの種別規制部２８のうちの中央に位置する一つの種別規制部２８（以下符号２８ａで示す）は、レンズホルダ５がディスク形記録媒体としてのＣＤから情報を読み取る位置に位置付けられると、図３に示すように、前記ストッパ片１２間に位置付けられる。即ち、この一つの種別規制部２８ａは、ＣＤに対応して設けられている。
【００３９】
種別規制部２８ａは、前記ストッパ片１２間に位置付けられると、アクチュエータ駆動部１０により移動されるアクチュエータ本体９のストッパ片１２をその上下面に接触させることで、アクチュエータ本体９のディスク形記録媒体の厚み方向の移動範囲を規制する。そして、種別規制部２８は、アクチュエータ本体９の移動範囲を、対応するＣＤから情報を読み取る際に必要とされる適切な移動範囲Ｓ１（図６に示す）とする厚み（即ち寸法）に形成されている。
【００４０】
前述した種別規制部２８のうちの前述した種別規制部２８ａと連なりかつ当該種別規制部２８ａを互いの間に挟む一対の種別規制部２８（以下符号２８ｂで示す）は、レンズホルダ５がディスク形記録媒体としてのＤＶＤから情報を読み取る位置に位置付けられると、図４（ａ）及び図４（ｂ）に示すように、前記ストッパ片１２間に位置付けられる。即ち、これら一対の種別規制部２８ｂは、ＤＶＤに対応して設けられている。
【００４１】
なお、これら一対の種別規制部２８ｂのうち一方がストッパ片１２間に位置付けられると、レンズホルダ５がＤＶＤの一方の情報記録面から情報を読み取る位置に位置付けられる。一対の種別規制部２８ｂのうち他方がストッパ片１２間に位置付けられると、レンズホルダ５がＤＶＤの他方の情報記録面から情報を読み取る位置に位置付けられる。
【００４２】
種別規制部２８ｂは、前記ストッパ片１２間に位置付けられると、アクチュエータ駆動部１０により移動されるアクチュエータ本体９のストッパ片１２をその上下面に接触させることで、アクチュエータ本体９のディスク形記録媒体の厚み方向の移動範囲を規制する。そして、種別規制部２８ｂは、アクチュエータ本体９の移動範囲を、対応するＤＶＤから情報を読み取る際に必要とされる適切な移動範囲Ｓ２（図６に示す）とする厚み（即ち寸法）に形成されている。
【００４３】
前述した種別規制部２８のうちの前述した種別規制部２８ｂと連なりかつ当該種別規制部２８ｂを互いの間に挟む一対の種別規制部２８（以下符号２８ｃで示す）は、レンズホルダ５がディスク形記録媒体としてのＢＤから情報を読み取る位置に位置付けられると、図５（ａ）及び図５（ｂ）に示すように、前記ストッパ片１２間に位置付けられる。即ち、これら一対の種別規制部２８ｃは、ＢＤに対応して設けられている。
【００４４】
なお、これら一対の種別規制部２８ｃのうち一方がストッパ片１２間に位置付けられると、レンズホルダ５がＢＤの一方の情報記録面から情報を読み取る位置に位置付けられる。一対の種別規制部２８ｃのうち他方がストッパ片１２間に位置付けられると、レンズホルダ５がＢＤの他方の情報記録面から情報を読み取る位置に位置付けられる。
【００４５】
種別規制部２８ｃは、前記ストッパ片１２間に位置付けられると、アクチュエータ駆動部１０により移動されるアクチュエータ本体９のストッパ片１２をその上下面に接触させることで、アクチュエータ本体９のディスク形記録媒体の厚み方向の移動範囲を規制する。そして、種別規制部２８ｃは、アクチュエータ本体９の移動範囲を、対応するＢＤから情報を読み取る際に必要とされる適切な移動範囲Ｓ３（図６に示す）とする厚み（即ち寸法）に形成されている。
【００４６】
なお、本実施例では、種別規制部２８ａ，２８ｂ，２８ｃは、順に厚みが厚くなるように形成されて、互いに厚みが異なっているとともに厚み方向の位置が互いに異なっている。即ち、これら種別規制部２８ａ，２８ｂ，２８ｃは、許容するアクチュエータ本体９の移動範囲Ｓ１，Ｓ２，Ｓ３の長さが互いに異なるとともに、移動範囲Ｓ１，Ｓ２，Ｓ３の位置が互いに異なっている。このため、規制部６はディスク形記録媒体の種類毎に、アクチュエータ本体９の厚み方向のピックアップベース２に対する移動範囲Ｓ１，Ｓ２，Ｓ３を異ならせて規制する。また、種別規制部２８ａ，２８ｂ，２８ｃは、ディスク型記録媒体の種類に対応して設けられかつ各々がアクチュエータ本体９の移動範囲Ｓ１，Ｓ２，Ｓ３を規制する。
【００４７】
μＣＯＭ２１は、プログラムに従って各種の処理を行う中央処理ユニット（ＣＰＵ）と、ＣＰＵが行う処理のプログラムなどを格納した読み取り専用のメモリであるＲＯＭと、ＣＰＵでの各種の処理過程で利用するワークエリア、各種データを格納するデータ格納エリアなどを有する読み取り書き込み自在のメモリであるＲＡＭなどを内蔵し、これらがバスラインによって互いに接続されている。
【００４８】
μＣＯＭ２１は、アクチュエータ駆動部１０のプリントコイル２２に接続して、当該プリントコイル２２に供給される前述した電流を制御して、アクチュエータ装置３全体の制御を司る。さらに、μＣＯＭ２１は、前述したモータ４などと接続して、これらの動作を制御して、光ピックアップ装置１全体の制御を司る。
【００４９】
μＣＯＭ２１は、ディスク形記録媒体からの情報の読み取りを開始する際に、まず、モータ４を駆動してレンズホルダ５を所定の位置に位置付けて、前述した光源からレーザ光を出射して、ディスク形記録媒体から反射されたレーザ光を受光器に受光されることにより、情報の読み取りを開始するディスク形記録媒体の種類を判別する。このように、μＣＯＭ２１は、情報を読み出すディスク形記録媒体の種類を判別する判別手段をなしている。
【００５０】
そして、μＣＯＭ２１は、情報の読み取りを開始するディスク形記録媒体が情報の読み取りが可能なディスク形記録媒体であると判別すると（即ち、ＣＤ、ＤＶＤ、ＢＤのいずれかであると判別すると）、モータ４を駆動して、当該情報の読み取りを開始するディスク形記録媒体の種類に応じた適切な位置にレンズホルダ５を位置付ける。すると、モータ４が、レンズホルダ５即ち規制部６を移動させて判別されたディスク形記録媒体の種類に応じた適切な位置にコリメータレンズ７を位置付けるとともに、当該ディスク形記録媒体の種類に対応する種別規制部２８ａ，２８ｂ，２８ｃをストッパ片１２間即ちアクチュエータ本体９と接触可能な位置に位置付ける。こうして、モータ４は、判別されたディスク形記録媒体の種類に応じてアクチュエータ本体９の移動範囲Ｓ１，Ｓ２，Ｓ３を規制すべく規制部６をアクチュエータ本体９に対して相対的に移動させる。
【００５１】
その後、μＣＯＭ２１は、線状弾性部材１３を介してプリントコイル２２にフォーカス制御及びトラッキング制御のための電流を供給しながら、レーザ光をディスク形記録媒体の情報記録面に照射して、情報を読み出して再生する。
【００５２】
このとき、ＣＤから情報を読み取る際には、μＣＯＭ２１は、線状弾性部材１３を介してプリントコイル２２にフォーカス制御及びトラッキング制御のための電流を供給する。また、μＣＯＭ２１は、ＤＶＤ又はＢＤから情報を読み取る際には、線状弾性部材１３を介してプリントコイル２２にストッパ片１２の中央に種別規制部２８を位置付けるための電流を供給して、種別規制部２８に対するストッパ片１２の位置を線状弾性部材１３が弾性変形していない図４（ａ）、図４（ｂ）、図５（ａ）及び図５（ｂ）中に一点鎖線に示す位置から当該ストッパ片１２の中央に種別規制部２８を位置付ける図４（ａ）、図４（ｂ）、図５（ａ）及び図５（ｂ）中に実線に示す位置まで移動させた後、プリントコイル２２に前述したフォーカス制御及びトラッキング制御のための電流を供給する。
【００５３】
μＣＯＭ２１は、レーザ光のディスク形記録媒体の情報記録面への照射を停止して、ディスク形記録媒体からの情報の読み取りを停止すると、プリントコイル２２へのフォーカス制御及びトラッキング制御のための電流の供給を停止する。
【００５４】
また、μＣＯＭ２１は、情報を読み取るディスク形記録媒体の種類が変更されて、レンズホルダ５を移動させる際には、プリントコイル２２に電流を供給して、ストッパ片１２が種別規制部２８ａ，２８ｂ，２８ｃの上下面のいずれかに接触するまで、アクチュエータ本体９を移動させた後、モータ４を駆動してレンズホルダ５を移動する。
【００５５】
例えば、ＣＤを再生していた態からＤＶＤを再生する状態に切り換える際には、図７（ａ）に示すようにストッパ片１２間の中央に種別規制部２８ａが位置した状態から、図７（ｂ）に示すようにストッパ片１２を種別規制部２８ａの上面に接触させた後、図７（ｃ）に示すように、規制部６即ちレンズホルダ５を移動する。
【００５６】
本実施例によれば、アクチュエータ本体９のピックアップベース２に対する移動範囲を規制する規制部６に、各ディスク形記録媒体の種類に応じて適切な移動範囲にアクチュエータ本体の移動範囲を規制させている。
【００５７】
このため、各種類のディスク形記録媒体から情報を読み取る際に必要とされる適切な移動範囲Ｓ１，Ｓ２，Ｓ３（図６に示す）を超えて、アクチュエータ本体９が移動することを防止でき、アクチュエータ駆動部１０に過大な電流が流れることなどを防止できる。したがって、光ピックアップ装置１の消費電力の増加と寿命の低下を防止することができる。
【００５８】
また、種別規制部２８がモータ４によるレンズホルダ５即ち規制部６の移動方向に沿って並べてられている。この場合、モータ４によって規制部６を移動することで、アクチュエータ本体９の移動範囲を規制する種別規制部２８ａ，２８ｂ，２８ｃを切り換えることができる。したがって、アクチュエータ本体９の移動範囲を容易に切り換えることができる。
【００５９】
さらに、規制部６が、コリメータレンズ７が取り付けられて、ディスク形記録媒体の種類に応じて、モータ４に移動されるレンズホルダ５に設けられている。このため、規制部６を移動させるために専用に部品や駆動手段を設ける必要がなくなるので、部品点数の削減を図ることができる。
【００６０】
また、規制部６がレンズホルダ５に設けられ、モータ４が、規制部６を移動させて判別されたディスク形記録媒体の種類に応じた位置に光学部品としてのコリメータレンズ７を位置付けるとともに、当該ディスク形記録媒体の種類に対応する種別規制部２８ａ，２８ｂ，２８ｃをアクチュエータ本体９と接触可能な位置に位置付けている。このため、コリメータレンズ７を適切な位置に位置付けると、適切な種別規制部２８ａ，２８ｂ，２８ｃがアクチュエータ本体９の移動範囲Ｓ１，Ｓ２，Ｓ３を規制するので、部品点数が増加することを確実に防止できる。
【００６１】
前述した実施例では、規制部６を、光学部品としてのコリメータレンズ７が取り付けられたレンズホルダ５に設けている。しかしながら、本発明では、コリメータレンズ７に限らず種々の光学部品を取り付けた光学部品ホルダに規制部６を設けても良い。また、本発明では、光学部品ホルダに規制部６を設けることなく、モータなどによりアクチュエータ装置３に対して移動自在に設けられた専用の部材に規制部６を設けても良いことは勿論である。
【００６２】
前述した実施例によれば、以下の光ピックアップ装置１が得られる。
【００６３】
（付記）  複数種類のディスク形記録媒体から情報を読み出し可能な光ピックアップ装置１において、
前記ディスク形記録媒体の径方向に移動自在に設けられたピックアップベース２と、
前記ディスク形記録媒体に間隔をあけて相対した対物レンズ１１が取り付けられたアクチュエータ本体９と、
前記アクチュエータ本体９を前記ディスク形記録媒体の少なくとも径方向と厚み方向とに移動自在に前記ピックアップベース２に取り付けたアクチュエータ駆動部１０と、
前記ディスク形記録媒体の種類毎に、前記アクチュエータ本体９の前記厚み方向の前記ピックアップベース２に対する移動範囲を異ならせて規制する規制部６と、
前記情報を読み出すディスク形記録媒体の種類を判別するμＣＯＭ２１と、
前記判別されたディスク形記録媒体の種類に応じて前記移動範囲を規制すべく前記規制部６を前記アクチュエータ本体９に対して相対的に移動させるモータ４と、
を備えたことを特徴とする光ピックアップ装置１。
【００６４】
付記によれば、アクチュエータ本体９のピックアップベース２に対する移動範囲を規制する規制部６に、各ディスク形記録媒体の種類に応じて適切な移動範囲にアクチュエータ本体の移動範囲を規制させている。このため、各種類のディスク形記録媒体から情報を読み取る際に必要とされる適切な移動範囲Ｓ１，Ｓ２，Ｓ３（図６に示す）を超えて、アクチュエータ本体９が移動することを防止でき、アクチュエータ駆動部１０に過大な電流が流れることなどを防止できる。したがって、光ピックアップ装置１の消費電力の増加と寿命の低下を防止することができる。
【００６５】
なお、前述した実施例は本発明の代表的な形態を示したに過ぎず、本発明は、実施例に限定されるものではない。即ち、本発明の骨子を逸脱しない範囲で種々変形して実施することができる。
【図面の簡単な説明】
【００６６】
【図１】従来の光ピックアップ装置のアクチュエータ本体の移動範囲を説明する説明図である。
【図２】本発明の一実施例にかかる光ピックアップ装置の斜視図である。
【図３】図２に示された光ピックアップ装置がＣＤから情報を読み取る際のストッパ片と種別規制部との相対的な位置を説明する説明図である。
【図４】（ａ）は図２に示された光ピックアップ装置がＤＶＤの一方の情報記録面から情報を読み取る際のストッパ片と種別規制部との相対的な位置を説明する説明図であり、（ｂ）は図２に示された光ピックアップ装置がＤＶＤの他方の情報記録面から情報を読み取る際のストッパ片と種別規制部との相対的な位置を説明する説明図である。
【図５】（ａ）は図２に示された光ピックアップ装置がＢＤの一方の情報記録面から情報を読み取る際のストッパ片と種別規制部との相対的な位置を説明する説明図であり、（ｂ）は図２に示された光ピックアップ装置がＢＤの他方の情報記録面から情報を読み取る際のストッパ片と種別規制部との相対的な位置を説明する説明図である。
【図６】図２に示された光ピックアップ装置のアクチュエータ本体の移動範囲を説明する説明図である。
【図７】図２に示された光ピックアップ装置がＣＤから情報を読み取る状態からＤＶＤから情報を読み取る状態に切換る工程を説明する説明図である。
【符号の説明】
【００６７】
１  光ピックアップ装置
２  ピックアップベース
４  モータ(駆動手段)
５  レンズホルダ(光学部品ホルダ)
６  規制部
７  コリメータレンズ（光学部品）
９  アクチュエータ本体
１０  アクチュエータ駆動部
１１  対物レンズ
２１  μＣＯＭ（判別手段）
２８，２８ａ，２８ｂ，２８ｃ  種別規制部
Ｓ１，Ｓ２，Ｓ３  適切な移動範囲
【図１】
2009238356.tif 000003
【図２】
2009238356.tif 000004
【図３】
2009238356.tif 000005
【図４】
2009238356.tif 000006
【図５】
2009238356.tif 000007
【図６】
2009238356.tif 000008
【図７】
2009238356.tif 000009